(57)【要約】【課題】電池消耗を増加させるハード構成の変更を行うことなく、成りすまし接続の危険性をより低減させることができる。【解決手段】記憶制御部１４は、第１のペアリング要求パケットに含まれる第１の識別データをメモリ１５に記憶する。判定部１２２は、第２のペアリング要求パケットを受信した場合、第１の識別データと第２の識別データとが予め決められた条件を満たしているか否かを判定する。登録部１２３は、判定部１２２が条件を満たしていると判定した場合、第１のペアリング要求パケット及び第２のペアリング要求パケットを無線送信した端末を、データリンク層より上位層のデータを無線通信する端末として登録する。応答部１２４は、判定部１２２が条件を満たしていると判定した場合、第２のペアリング要求パケットに対する応答を示す第２のペアリング応答パケットを、登録した端末に対して無線通信部１３に送信させる。【選択図】図２
2014082716.tif 000002
【特許請求の範囲】
【請求項１】
データリンク層でペアリングを要求するパケットをペアリング要求パケットと定義するとき、
他の端末と無線通信を行う無線通信部と、
情報を記憶する記憶デバイスと、
前記無線通信部が第１の識別データを含む第１のペアリング要求パケットを受信した場合、当該第１のペアリング要求パケットに含まれる前記第１の識別データを前記記憶デバイスに記憶する記憶制御部と、
前記無線通信部が前記第１のペアリング要求パケットを受信した後に第２の識別データを含む第２のペアリング要求パケットを受信した場合、前記記憶デバイスが記憶している前記第１の識別データと、当該第２のペアリング要求パケットに含まれる前記第２の識別データとが予め決められた条件を満たしているか否かを判定する判定部と、
前記判定部が前記条件を満たしていると判定した場合、前記第１のペアリング要求パケット及び前記第２のペアリング要求パケットを無線送信した端末を、データリンク層より上位層のデータを無線通信する端末として登録する登録部と、
前記判定部が前記条件を満たしていると判定した場合、前記第２のペアリング要求パケットに対する応答を示す第２のペアリング応答パケットを、前記登録した前記端末に対して前記無線通信部に送信させる応答部と、
を備えることを特徴とする無線通信端末。
【請求項２】
前記登録部が登録した前記端末と、データリンク層より上位層のデータを無線通信する上位層通信部
を備えることを特徴とする請求項１に記載の無線通信端末。
【請求項３】
前記記憶制御部は、前記第１のペアリング要求パケットを無線送信した前記端末のＭＡＣアドレスを前記第１の識別データとして前記記憶デバイスに記憶させ、
前記判定部は、前記第２のペアリング要求パケットを無線送信した前記端末のＭＡＣアドレスである前記第２の識別データと、前記記憶デバイスが記憶している前記第１の識別データとが一致する場合、予め決められた条件を満たしていると判定する
ことを特徴等する請求項１に記載の無線通信端末。
【請求項４】
通信周波数帯域が異なる２つの通信チャネルを第１の通信チャネルと第２の通信チャネルとしてさらに定義するとき、
前記記憶制御部は、前記第１の識別データに加え、前記第１のペアリング要求パケットに含まれる前記第２の通信チャネルを示すデータを前記記憶デバイスに記憶するよう制御する
ことを特徴とする請求項１に記載の無線通信端末。
【請求項５】
通信周波数帯域が異なる２つの通信チャネルを第１の通信チャネルと第２の通信チャネルとしてさらに定義するとき、
前記判定部は、前記無線通信部が前記第１のペアリング要求パケットを受信した後に、前記第２の通信チャネルで前記第２の識別データを含む前記第２のペアリング要求パケットを受信した場合、前記記憶デバイスが記憶している前記第１の識別データと、当該第２のペアリング要求パケットに含まれる前記第２の識別データとが予め決められた条件を満たしているか否かを判定する
ことを特徴とする請求項１に記載の無線通信端末。
【請求項６】
通信周波数帯域が異なる２つの通信チャネルを第１の通信チャネルと第２の通信チャネルとしてさらに定義するとき、
前記応答部は、前記第２のペアリング応答パケットを、前記第２の通信チャネルで前記無線通信部に無線送信させる
ことを特徴とする請求項１に記載の無線通信端末。
【請求項７】
通信周波数帯域が異なる２つの通信チャネルを第１の通信チャネルと第２の通信チャネルとしてさらに定義するとき、
前記応答部は、前記第１のペアリング要求パケットに対する応答を示す第１のペアリング応答パケットを、前記第１の通信チャネルで前記無線通信部に送信させる
ことを特徴とする請求項１に記載の無線通信端末。
【請求項８】
通信周波数帯域が異なる２つの通信チャネルを第１の通信チャネルと第２の通信チャネルとしてさらに定義するとき、
前記判定部は、前記無線通信部が前記第１のペアリング要求パケットを受信してから所定の期間内に前記第２のペアリング要求パケットを受信した場合にのみ、前記記憶デバイスが記憶している前記第１の識別データと、当該第２のペアリング要求パケットに含まれる前記第２の識別データとが予め決められた条件を満たしているか否かを判定する
ことを特徴とする請求項１に記載の無線通信端末。
【請求項９】
通信周波数帯域が異なる２つの通信チャネルを第１の通信チャネルと第２の通信チャネルとしてさらに定義するとき、
前記記憶デバイスは、予め第３の識別データを記憶しており、
前記判定部は、記憶デバイスが記憶している前記第３の識別データと、前記第１のペアリング要求パケットに含まれる前記第１の識別データとが一致する場合にのみ、前記記憶デバイスが記憶している前記第１の識別データと、前記第２のペアリング要求パケットに含まれる前記第２の識別データとが予め決められた条件を満たしているか否かを判定する
ことを特徴とする請求項１に記載の無線通信端末。
【請求項１０】
通信周波数帯域が異なる２つの通信チャネルを第１の通信チャネルと第２の通信チャネルとしてさらに定義するとき、
前記記憶デバイスは、第４の識別情報と第５の識別情報とを予め記憶しており、
前記判定部は、前記記憶デバイスが記憶している前記第４の識別情報と、前記第１のペアリング要求パケットに含まれる前記第４の識別データとが一致し、かつ、前記記憶デバイスが記憶している前記第５の識別情報と、前記第２のペアリング要求パケットに含まれる前記第５の識別データとが一致する場合にのみ、前記記憶デバイスが記憶している前記第１の識別データと、前記第２のペアリング要求パケットに含まれる前記第２の識別データとが予め決められた条件を満たしているか否かを判定する
ことを特徴とする請求項１に記載の無線通信端末。
【請求項１１】
データリンク層でペアリングを要求するパケットをペアリング要求パケットと定義するとき、
他の端末と無線通信を行う無線通信部と、
情報を記憶する記憶デバイスと、
前記無線通信部に、所定の識別データを含む第１のペアリング要求パケットを無線送信させ、その後、前記所定の識別データを含む第２のペアリング要求パケット無線送信させる要求部と、
前記無線通信部が前記第２のペアリング要求パケットを無線送信した後、前記無線通信部が当該第２のペアリング要求パケットに対応する応答を示す第２のペアリング応答パケットを無線受信した場合、当該第２のペアリング応答パケットを無線送信した端末を、データリンク層より上位層のデータを無線通信する端末として登録する登録部と、
を備えることを特徴とする無線通信端末。
【請求項１２】
前記登録部が登録した前記端末と、データリンク層より上位層のデータを無線通信する上位層通信部
を備えることを特徴とする請求項１１に記載の無線通信端末。
【請求項１３】
前記要求部は、自端末のＭＡＣアドレスを前記第１の識別データとして前記第１のペアリング要求パケットに含め、自端末の前記ＭＡＣアドレスを前記第２の識別データとして前記第２のペアリング要求パケットに含める
ことを特徴とする請求項１１に記載の無線通信端末。
【請求項１４】
通信周波数帯域が異なる２つの通信チャネルを第１の通信チャネルと第２の通信チャネルとしてさらに定義するとき、
前記要求部は、前記第２の通信チャネルを示すデータを前記第１のペアリング要求パケットに含め、前記無線通信部に、当該第１のペアリング要求パケットを前記第１の通信チャネルで無線送信させ、その後、前記所定の識別データを含む第２のペアリング要求パケットを前記第２の通信チャネルで無線送信させる
ことを特徴とする請求項１１に記載の無線通信端末。
【請求項１５】
通信周波数帯域が異なる２つの通信チャネルを第１の通信チャネルと第２の通信チャネルとしてさらに定義するとき、
前記記憶デバイスは、第４の識別情報と第５の識別情報とを予め記憶しており、
前記要求部は、前記第１のペアリング要求パケットに前記第４の識別データを含め、かつ、前記第２のペアリング要求パケットに前記第５の識別データを含める
ことを特徴とする請求項１１に記載の無線通信端末。
【請求項１６】
データリンク層でペアリングを要求するパケットをペアリング要求パケットと定義するとき、
他の端末と無線通信を行う第１の無線通信部と、
情報を記憶する第１の記憶デバイスと、
前記第１の無線通信部が第１の識別データを含む第１のペアリング要求パケットを受信した場合、当該第１のペアリング要求パケットに含まれる前記第１の識別データを前記第１の記憶デバイスに記憶する記憶制御部と、
前記第１の無線通信部が前記第１のペアリング要求パケットを受信した後に第２の識別データを含む第２のペアリング要求パケットを受信した場合、前記第１の記憶デバイスが記憶している前記第１の識別データと、当該第２のペアリング要求パケットに含まれる前記第２の識別データとが予め決められた条件を満たしているか否かを判定する判定部と、
前記判定部が前記条件を満たしていると判定した場合、前記第１のペアリング要求パケット及び前記第２のペアリング要求パケットを無線送信した端末を、データリンク層より上位層のデータを無線通信する端末として登録する第１の登録部と、
前記判定部が前記条件を満たしていると判定した場合、前記第２のペアリング要求パケットに対する応答を示す第２のペアリング応答パケットを、前記登録した前記端末に対して前記無線通信部に送信させる応答部と、
を備えることを特徴とする第１の無線通信端末と、
他の端末と無線通信を行う第２の無線通信部と、
情報を記憶する第２の記憶デバイスと、
前記第２の無線通信部に、所定の識別データを含む前記第１のペアリング要求パケットを無線送信させ、その後、前記所定の識別データを含む前記第２のペアリング要求パケット無線送信させる要求部と、
前記第２の無線通信部が前記第２のペアリング要求パケットを無線送信した後、前記第２の無線通信部が当該第２のペアリング要求パケットに対応する応答を示す第２のペアリング応答パケットを無線受信した場合、当該第２のペアリング応答パケットを無線送信した端末を、データリンク層より上位層のデータを無線通信する端末として登録する第２の登録部と、
を備えることを特徴とする第２の無線通信端末と
を含むことを特徴とする無線通信システム。
【請求項１７】
データリンク層でペアリングを要求するパケットをペアリング要求パケットと定義するとき、
他の端末と無線通信を行う無線通信ステップと、
前記無線通信ステップで第１の識別データを含む第１のペアリング要求パケットを受信した場合、当該第１のペアリング要求パケットに含まれる前記第１の識別データを記憶デバイスに記憶する記憶制御ステップと、
前記無線通信ステップで前記第１のペアリング要求パケットを受信した後に第２の識別データを含む第２のペアリング要求パケットを受信した場合、前記記憶デバイスが記憶している前記第１の識別データと、当該第２のペアリング要求パケットに含まれる前記第２の識別データとが予め決められた条件を満たしているか否かを判定する判定ステップと、
前記判定ステップで前記条件を満たしていると判定した場合、前記第１のペアリング要求パケット及び前記第２のペアリング要求パケットを無線送信した端末を、データリンク層より上位層のデータを無線通信する端末として登録する登録ステップと、
前記判定ステップで前記条件を満たしていると判定した場合、前記第２のペアリング要求パケットに対する応答を示す第２のペアリング応答パケットを、前記登録した前記端末に対して前記無線通信部に送信させる応答ステップと、
を含むことを特徴とする無線通信方法。
【請求項１８】
データリンク層でペアリングを要求するパケットをペアリング要求パケットと定義するとき、
他の端末と無線通信を行う無線通信ステップと、
前記無線通信ステップで、所定の識別データを含む第１のペアリング要求パケットを無線送信させ、その後、前記所定の識別データを含む第２のペアリング要求パケット無線送信させる要求ステップと、
前記無線通信ステップで前記第２のペアリング要求パケットを無線送信した後、前記無線通信ステップで当該第２のペアリング要求パケットに対応する応答を示す第２のペアリング応答パケットを無線受信した場合、当該第２のペアリング応答パケットを無線送信した端末を、データリンク層より上位層のデータを無線通信する端末として登録する登録ステップと、
を含むことを特徴とする無線通信方法。
【請求項１９】
データリンク層でペアリングを要求するパケットをペアリング要求パケットと定義するとき、
他の端末と無線通信を行う無線通信ステップと、
前記無線通信ステップで第１の識別データを含む第１のペアリング要求パケットを受信した場合、当該第１のペアリング要求パケットに含まれる前記第１の識別データを記憶デバイスに記憶する記憶制御ステップと、
前記無線通信ステップで前記第１のペアリング要求パケットを受信した後に第２の識別データを含む第２のペアリング要求パケットを受信した場合、前記記憶デバイスが記憶している前記第１の識別データと、当該第２のペアリング要求パケットに含まれる前記第２の識別データとが予め決められた条件を満たしているか否かを判定する判定ステップと、
前記判定ステップで前記条件を満たしていると判定した場合、前記第１のペアリング要求パケット及び前記第２のペアリング要求パケットを無線送信した端末を、データリンク層より上位層のデータを無線通信する端末として登録する登録ステップと、
前記判定ステップで前記条件を満たしていると判定した場合、前記第２のペアリング要求パケットに対する応答を示す第２のペアリング応答パケットを、前記登録した前記端末に対して前記無線通信部に送信させる応答ステップと、
をコンピュータに実行させるためのプログラム。
【請求項２０】
データリンク層でペアリングを要求するパケットをペアリング要求パケットと定義するとき、
他の端末と無線通信を行う無線通信ステップと、
前記無線通信ステップで、所定の識別データを含む第１のペアリング要求パケットを無線送信させ、その後、前記所定の識別データを含む第２のペアリング要求パケット無線送信させる要求ステップと、
前記無線通信ステップで前記第２のペアリング要求パケットを無線送信した後、前記無線通信ステップで当該第２のペアリング要求パケットに対応する応答を示す第２のペアリング応答パケットを無線受信した場合、当該第２のペアリング応答パケットを無線送信した端末を、データリンク層より上位層のデータを無線通信する端末として登録する登録ステップと、
をコンピュータに実行させるためのプログラム。
【発明の詳細な説明】
【技術分野】
【０００１】
本発明は、無線通信端末、無線通信システム、無線通信方法およびプログラムに関する。
【背景技術】
【０００２】
医療・ヘルスケア分野では、各種センサを備えた端末を用いて人体表面または体内から生体データを収集し、端末が収集した生体データを蓄積装置に転送して蓄積することで、蓄積装置が蓄積した生体データを健康管理や、病気の診断や、治療などに役立てようとする取り組みが盛んに進められている。このような用途では、生体データを転送するために端末と蓄積装置との間を有線ケーブルでつなぐと行動の自由が制限されてしまうため、無線通信で生体データを転送するようにし、端末を自由に持ち歩くことができるようにすることが望ましい。このようなニーズは、医療分野、特に植込み型医療機器ではより大きい。
【０００３】
このような無線通信システムでは、送受信する生体データが個人情報であるため、その保護が求められる。特に植込み型医療機器ではその要求が強い。さらに、電池動作を前提としているため、電池消耗を増加させるハード構成の追加は極力避けたいという要望がある。
【０００４】
このような要望を解決する方法として、リモコンと電子機器の間で、所定の通信チャネルを用いて自端末の識別情報を含むペアリング要求パケットを送信し、当該通信チャネルで無線通信を開始するペアリング方法が知られている（例えば、特許文献１参照）。
【先行技術文献】
【特許文献】
【０００５】
【特許文献１】特許第４６１８２７９号公報
【発明の概要】
【発明が解決しようとする課題】
【０００６】
しかしながら、特許文献１に記載の技術では、ペアリング要求パケットを送信した通信チャネルを傍受することで、識別情報が不正に取得でき、成りすましが可能となってしまう問題があった。
【０００７】
本発明は、上記の問題を解決するためになされたものであり、電池消耗を増加させるハード構成の変更を行うことなく、成りすまし接続の危険性をより低減させることができる無線通信端末、無線通信システム、無線通信方法およびプログラムを提供することを目的とする。
【課題を解決するための手段】
【０００８】
本発明は、データリンク層でペアリングを要求するパケットをペアリング要求パケットと定義するとき、他の端末と無線通信を行う無線通信部と、情報を記憶する記憶デバイスと、前記無線通信部が第１の識別データを含む第１のペアリング要求パケットを受信した場合、当該第１のペアリング要求パケットに含まれる前記第１の識別データを前記記憶デバイスに記憶する記憶制御部と、前記無線通信部が前記第１のペアリング要求パケットを受信した後に第２の識別データを含む第２のペアリング要求パケットを受信した場合、前記記憶デバイスが記憶している前記第１の識別データと、当該第２のペアリング要求パケットに含まれる前記第２の識別データとが予め決められた条件を満たしているか否かを判定する判定部と、前記判定部が前記条件を満たしていると判定した場合、前記第１のペアリング要求パケット及び前記第２のペアリング要求パケットを無線送信した端末を、データリンク層より上位層のデータを無線通信する端末として登録する登録部と、前記判定部が前記条件を満たしていると判定した場合、前記第２のペアリング要求パケットに対する応答を示す第２のペアリング応答パケットを、前記登録した前記端末に対して前記無線通信部に送信させる応答部と、を備えることを特徴とする無線通信端末である。
【０００９】
また、本発明は、データリンク層でペアリングを要求するパケットをペアリング要求パケットと定義するとき、他の端末と無線通信を行う無線通信部と、情報を記憶する記憶デバイスと、前記無線通信部に、所定の識別データを含む第１のペアリング要求パケットを無線送信させ、その後、前記所定の識別データを含む第２のペアリング要求パケット無線送信させる要求部と、前記無線通信部が前記第２のペアリング要求パケットを無線送信した後、前記無線通信部が当該第２のペアリング要求パケットに対応する応答を示す第２のペアリング応答パケットを無線受信した場合、当該第２のペアリング応答パケットを無線送信した端末を、データリンク層より上位層のデータを無線通信する端末として登録する登録部と、を備えることを特徴とする無線通信端末である。
【００１０】
また、本発明は、データリンク層でペアリングを要求するパケットをペアリング要求パケットと定義するとき、他の端末と無線通信を行う第１の無線通信部と、情報を記憶する第１の記憶デバイスと、前記第１の無線通信部が第１の識別データを含む第１のペアリング要求パケットを受信した場合、当該第１のペアリング要求パケットに含まれる前記第１の識別データを前記第１の記憶デバイスに記憶する記憶制御部と、前記第１の無線通信部が前記第１のペアリング要求パケットを受信した後に第２の識別データを含む第２のペアリング要求パケットを受信した場合、前記第１の記憶デバイスが記憶している前記第１の識別データと、当該第２のペアリング要求パケットに含まれる前記第２の識別データとが予め決められた条件を満たしているか否かを判定する判定部と、前記判定部が前記条件を満たしていると判定した場合、前記第１のペアリング要求パケット及び前記第２のペアリング要求パケットを無線送信した端末を、データリンク層より上位層のデータを無線通信する端末として登録する第１の登録部と、前記判定部が前記条件を満たしていると判定した場合、前記第２のペアリング要求パケットに対する応答を示す第２のペアリング応答パケットを、前記登録した前記端末に対して前記無線通信部に送信させる応答部と、を備えることを特徴とする第１の無線通信端末と、他の端末と無線通信を行う第２の無線通信部と、情報を記憶する第２の記憶デバイスと、前記第２の無線通信部に、所定の識別データを含む前記第１のペアリング要求パケットを無線送信させ、その後、前記所定の識別データを含む前記第２のペアリング要求パケット無線送信させる要求部と、前記第２の無線通信部が前記第２のペアリング要求パケットを無線送信した後、前記第２の無線通信部が当該第２のペアリング要求パケットに対応する応答を示す第２のペアリング応答パケットを無線受信した場合、当該第２のペアリング応答パケットを無線送信した端末を、データリンク層より上位層のデータを無線通信する端末として登録する第２の登録部と、を備えることを特徴とする第２の無線通信端末とを含むことを特徴とする無線通信システムである。
【００１１】
また、本発明は、データリンク層でペアリングを要求するパケットをペアリング要求パケットと定義するとき、他の端末と無線通信を行う無線通信ステップと、前記無線通信ステップで第１の識別データを含む第１のペアリング要求パケットを受信した場合、当該第１のペアリング要求パケットに含まれる前記第１の識別データを記憶デバイスに記憶する記憶制御ステップと、前記無線通信ステップで前記第１のペアリング要求パケットを受信した後に第２の識別データを含む第２のペアリング要求パケットを受信した場合、前記記憶デバイスが記憶している前記第１の識別データと、当該第２のペアリング要求パケットに含まれる前記第２の識別データとが予め決められた条件を満たしているか否かを判定する判定ステップと、前記判定ステップで前記条件を満たしていると判定した場合、前記第１のペアリング要求パケット及び前記第２のペアリング要求パケットを無線送信した端末を、データリンク層より上位層のデータを無線通信する端末として登録する登録ステップと、前記判定ステップで前記条件を満たしていると判定した場合、前記第２のペアリング要求パケットに対する応答を示す第２のペアリング応答パケットを、前記登録した前記端末に対して前記無線通信部に送信させる応答ステップと、を含むことを特徴とする無線通信方法である。
【００１２】
また、本発明は、データリンク層でペアリングを要求するパケットをペアリング要求パケットと定義するとき、他の端末と無線通信を行う無線通信ステップと、前記無線通信ステップで、所定の識別データを含む第１のペアリング要求パケットを無線送信させ、その後、前記所定の識別データを含む第２のペアリング要求パケット無線送信させる要求ステップと、前記無線通信ステップで前記第２のペアリング要求パケットを無線送信した後、前記無線通信ステップで当該第２のペアリング要求パケットに対応する応答を示す第２のペアリング応答パケットを無線受信した場合、当該第２のペアリング応答パケットを無線送信した端末を、データリンク層より上位層のデータを無線通信する端末として登録する登録ステップと、を含むことを特徴とする無線通信方法である。
【００１３】
また、本発明は、データリンク層でペアリングを要求するパケットをペアリング要求パケットと定義するとき、他の端末と無線通信を行う無線通信ステップと、前記無線通信ステップで第１の識別データを含む第１のペアリング要求パケットを受信した場合、当該第１のペアリング要求パケットに含まれる前記第１の識別データを記憶デバイスに記憶する記憶制御ステップと、前記無線通信ステップで前記第１のペアリング要求パケットを受信した後に第２の識別データを含む第２のペアリング要求パケットを受信した場合、前記記憶デバイスが記憶している前記第１の識別データと、当該第２のペアリング要求パケットに含まれる前記第２の識別データとが予め決められた条件を満たしているか否かを判定する判定ステップと、前記判定ステップで前記条件を満たしていると判定した場合、前記第１のペアリング要求パケット及び前記第２のペアリング要求パケットを無線送信した端末を、データリンク層より上位層のデータを無線通信する端末として登録する登録ステップと、前記判定ステップで前記条件を満たしていると判定した場合、前記第２のペアリング要求パケットに対する応答を示す第２のペアリング応答パケットを、前記登録した前記端末に対して前記無線通信部に送信させる応答ステップと、をコンピュータに実行させるためのプログラムである。
【００１４】
また、本発明は、データリンク層でペアリングを要求するパケットをペアリング要求パケットと定義するとき、他の端末と無線通信を行う無線通信ステップと、前記無線通信ステップで、所定の識別データを含む第１のペアリング要求パケットを無線送信させ、その後、前記所定の識別データを含む第２のペアリング要求パケット無線送信させる要求ステップと、前記無線通信ステップで前記第２のペアリング要求パケットを無線送信した後、前記無線通信ステップで当該第２のペアリング要求パケットに対応する応答を示す第２のペアリング応答パケットを無線受信した場合、当該第２のペアリング応答パケットを無線送信した端末を、データリンク層より上位層のデータを無線通信する端末として登録する登録ステップと、をコンピュータに実行させるためのプログラムである。
【発明の効果】
【００１５】
本発明によれば、電池消耗を増加させるハード構成の変更を行うことなく、成りすまし接続の危険性をより低減させることができる。
【図面の簡単な説明】
【００１６】
【図１】本発明の第１の実施形態における生体データ監視システムの構成を示した概略図である。
【図２】本発明の第１の実施形態における無線センシング端末の構成を示したブロック図である。
【図３】本発明の第１の実施形態におけるデータ収集端末の構成を示したブロック図である。
【図４】本発明の第１の実施形態における無線センシング端末とデータ収集端末との動作手順を示したフローチャートである。
【図５】本発明の第２の実施形態における無線センシング端末の構成を示したブロック図である。
【図６】本発明の第２の実施形態におけるデータ収集端末の構成を示したブロック図である。
【図７】本発明の第２の実施形態における無線センシング端末とデータ収集端末との動作手順を示したフローチャートである。
【図８】本発明の第３の実施形態における無線センシング端末の構成を示したブロック図である。
【図９】本発明の第３の実施形態における無線センシング端末とデータ収集端末との動作手順を示したフローチャートである。
【図１０】本発明の第４の実施形態における無線センシング端末の構成を示したブロック図である。
【図１１】本発明の第４の実施形態における無線センシング端末とデータ収集端末との動作手順を示したフローチャートである。
【図１２】本発明の第５の実施形態における無線センシング端末の構成を示したブロック図である。
【図１３】本発明の第５の実施形態におけるデータ収集端末の構成を示したブロック図である。
【図１４】本発明の第５の実施形態における無線センシング端末とデータ収集端末との動作手順を示したフローチャートである。
【発明を実施するための形態】
【００１７】
（第１の実施形態）
以下、本発明の第１の実施形態について図を参照しながら説明する。図１は、本実施形態における生体データ監視システムの構成を示した概略図である。図示する例では、生体データ監視システム１は、無線センシング端末１０と、データ収集端末２０とを備える。無線センシング端末１０は、各種センサを使って人体表面または体内から血圧、脈拍、心電、心拍、血中酸素濃度、体温、尿糖、血糖等の生体データを取得する。また、無線センシング端末１０は、各種センサを使って無線センシング端末１０が備える各部の状態を示す機器状態データを取得する。また、無線センシング端末１０は、取得した生体データ及び機器状態データをデータ収集端末２０に無線伝送する。データ収集端末２０は、無線センシング端末１０から無線伝送される生体データ及び機器状態データを収集して保存する。なお、無線センシング端末１０は人体表面または体内に設置される。また、データ収集端末２０は体外に設置される。
【００１８】
なお、本実施形態では、無線センシング端末１０とデータ収集端末２０とが１対１で無線通信を行うものとして説明を行うが、１対Ｎ、Ｍ対１、Ｍ対Ｎのいずれの関係においても、本発明は適用可能である（ＮおよびＭは自然数）。
【００１９】
次に、無線センシング端末１０（無線通信端末、第１の無線通信端末）の構成について説明する。図２は、本実施形態における無線センシング端末１０の構成を示したブロック図である。図示する例では、無線センシング端末１０は、センサ部１１と、通信制御部１２と、無線通信部１３（第１の無線通信部）と、記憶制御部１４と、メモリ１５（記憶デバイス、第１の記憶デバイス）と、アンテナ１６と、記憶部１７（記憶デバイス、第１の記憶デバイス）とを備える。なお、無線センシング端末１０は、図示せぬ電池を備えている。電池は、無線センシング端末１０が備える各部に電力を供給している。
【００２０】
センサ部１１は、人体表面または体内に設置され、血圧、脈拍、心電、心拍、血中酸素濃度、体温、尿糖、血糖等をセンシングして生体データを取得する。また、センサ部１１は、無線センシング端末１０が備える各部の状態をセンシングして機器状態データを取得する。以下、センサ部１１が取得する生体データや機器状態データなどを収集データと記載する。また、センサ部１１は、収集データを通信制御部１２に対して出力する。
【００２１】
記憶制御部１４は、無線通信部１３から入力された第１ペアリング要求パケットから、第１のペアリング情報を取得する。また、記憶制御部１４は、取得した第１のペアリング情報をメモリ１５に記憶する。メモリ１５は、記憶制御部１４の制御に基づいて、第１のペアリング情報を記憶する。また、メモリ１５は、記憶した第１のペアリング情報を通信制御部１２に対して出力する。
【００２２】
通信制御部１２は、上位層通信部１２１と、判定部１２２と、登録部１２３（第１の登録部）と、応答部１２４とを備え、無線通信部１３の制御を行う。判定部１２２は、メモリ１５から入力された第１のペアリング情報が更新されたときに、応答部１２４に対して第１応答指示を出力する。また、判定部１２２は、メモリ１５から入力された第１のペアリング情報が更新されたときに、メモリ１５から入力された第１のペアリング情報と無線通信部１３から入力された第２のペアリング情報とを比較し、比較結果が予め定められた条件を満たしている場合には第２応答指示を登録部１２３と応答部１２４とに出力する。
【００２３】
登録部１２３は、判定部１２２から第２応答指示が入力された場合、第２応答指示に含まれるデータ収集端末２０の識別情報（例えば、ＭＡＣアドレス）を、ペアリング相手として無線通信部１３に登録する。応答部１２４は、判定部１２２から第１応答指示が入力された場合には第１ペアリング応答パケットを無線通信部１３に対して出力する。また、応答部１２４は、判定部１２２から第２応答指示が入力された場合には第２ペアリング応答パケットを無線通信部１３に対して出力する。上位層通信部１２１は、センサ部１１から入力されたデータから上位層データパケットを生成し、生成した上位層パケットを無線通信部１３に対して出力する。
【００２４】
無線通信部１３は、データ収集端末２０から送信される第１ペアリング要求パケットと第２ペアリング要求パケットとをそれぞれ受信し、その受信データ列を記憶制御部１４と通信制御部１２とに対して出力する。また、無線通信部１３は、通信制御部１２から入力された第１ペアリング応答パケットと、第２ペアリング応答パケットと、上位層データパケットとを、アンテナ１６を介してデータ収集端末２０に対して送信する。なお、第１のペアリング情報とは、第１ペアリング要求パケットに含まれるデータ収集端末２０の端末ＩＤを指す。また、第２ペアリング情報とは、第２ペアリング要求パケットに含まれるデータ収集端末２０の端末ＩＤを指す。
【００２５】
記憶部１７は、無線センシング端末１０とデータ収集端末２０とがペアリングを行う手順を示す情報を予め記憶している。本実施形態では、無線センシング端末１０とデータ収集端末２０とがペアリングを行う手順としては、第１ペアリング要求パケットと第１ペアリング応答パケットとのやり取りで第１ペアリングを行い、第２ペアリング要求パケットと第２ペアリング応答パケットとのやり取りで第２ペアリングを行い、第１ペアリング要求パケットに含まれる体外端末ＩＤと、第２ペアリング要求パケットに含まれる体外ＩＤとが一致している場合にのみ、ペアリングを許可する。
【００２６】
次に、データ収集端末２０の構成について説明する。図３は、本実施形態におけるデータ収集端末２０の構成を示したブロック図である。図示する例では、データ収集端末２０は、無線通信部２１と、通信制御部２２と、データ処理部２３と、保存部２４と、表示部２５と、タイマ２６と、アンテナ２７と、記憶部２８（記憶デバイス）とを備える。なお、データ収集端末２０は、図示せぬ電池を備えている。電池は、データ収集端末２０が備える各部に電力を供給している。
【００２７】
通信制御部２２は、要求部２２１と、タイムアウト判定部２２２と、登録部２２３（第２の登録部）と、上位層通信部２２４とを備える。要求部２２１は、第１ペアリング要求パケットと第２ペアリング要求パケットとを生成し、無線通信部２１に対して出力する。タイムアウト判定部２２２は、無線通信部２１が第１ペアリング要求パケットと第２ペアリング要求パケットとをそれぞれ送信したときにタイマ２６に時間計測を開始させる。また、タイムアウト判定部２２２は、タイマ２６が時間計測を開始してから予め設定している時間が経過するまでに無線通信部２１が第２ペアリングパケットを受信した場合、登録部２２３に対して第２ペアリングパケットを送信した無線センシング端末１０の登録指示を出力する。一方、タイムアウト判定部２２２は、タイマ２６が時間計測を開始してから予め設定している時間が経過するまでに無線通信部２１が第１ペアリングパケットと第２ペアリングパケットとのいずれも受信していない場合、タイムアウトと判定してペアリング失敗とする。
【００２８】
登録部２２３は、タイムアウト判定部２２２から登録指示が入力された場合、登録指示に含まれる無線センシング端末１０の識別情報（例えば、ＭＡＣアドレス）を、ペアリング相手として無線通信部２１に登録する。上位層通信部２２４は、無線通信部２１から入力された上位層データパケットをデータ処理部２３に対して出力する。
【００２９】
無線通信部２１は、通信制御部２２から入力された第１ペアリング要求パケットと第２ペアリング要求パケットとを、アンテナ２７を介して無線センシング端末１０に対して送信する。また、無線通信部２１は、無線センシング端末１０から送信された、第１ペアリング応答パケットと、第２ペアリング応答パケットと、上位層データパケットとを受信し、通信制御部１２に対して出力する。データ処理部２３は、通信制御部２２から取得したデータを予め指定されている保存形式に変換して保存部２４に対して出力するとともに、通信制御部２２から取得したデータを文字や画像などの表示データに変換して表示部２５に対して出力する。
【００３０】
表示部２５は、データ処理部２３から入力された表示データに基づいた文字や画像を表示する。保存部２４は、データ処理部２３から入力されたデータを保存する。タイマ２６は、時間を計測する。記憶部２８は、無線センシング端末１０の記憶部１７が記憶する、無線センシング端末１０とデータ収集端末２０とがペアリングを行う手順を示す情報と同一の情報を予め記憶している。
【００３１】
次に、無線センシング端末１０とデータ収集端末２０との動作手順について説明する。図４は、本実施形態における無線センシング端末１０とデータ収集端末２０との動作手順を示したフローチャートである。
始めに、無線センシング端末１０の動作手順について説明する。
（ステップＳ１０１）無線センシング端末１０の各部は起動する。その後、ステップＳ１０２の処理に進む。
【００３２】
（ステップＳ１０２）無線通信部１３は、データ収集端末２０から第１チャネルで送信される第１ペアリング要求パケットを、アンテナ１６を介して受信する。なお、無線通信部１３は、第１チャネルを事前に知ることができないため、例えば若番チャネルから順にチャネルを切替えながら、第１ペアリング要求パケットを受信できるまで受信処理を続ける。その後、ステップＳ１０３の処理に進む。なお、ステップＳ１０２の処理を第１ペアリング要求受信ステップとする。
【００３３】
（ステップＳ１０３）記憶制御部１４は、ステップＳ１０２の処理で無線通信部１３が受信した第１ペアリング要求パケットに含まれる体外端末ＩＤをメモリ１５に記録する。その後、ステップＳ１０４の処理に進む。なお、ステップＳ１０３の処理を体外端末ＩＤ記録ステップとする。
【００３４】
（ステップＳ１０４）応答部１２４は、第１ペアリング応答パケットを無線通信部１３に対して出力する。無線通信部１３は、応答部１２４から入力された第１ペアリング応答パケットを、アンテナ１６を介してデータ収集端末２０に対して送信する。その後、ステップＳ１０５の処理に進む。なお、ステップＳ１０４の処理を第１ペアリング応答送信ステップとする。
（ステップＳ１０５）無線通信部１３は、データ収集端末２０から送信される第２ペアリング要求パケットを、アンテナ１６を介して受信する。その後、ステップＳ１０６の処理に進む。なお、ステップＳ１０５の処理を第２ペアリング要求受信ステップとする。
【００３５】
（ステップＳ１０６）判定部１２２は、ステップＳ１０３の処理でメモリ１５に記録した体外端末ＩＤ（第１ペアリング要求パケットに含まれていた体外端末ＩＤ）と、ステップＳ１０５の処理で受信した第２ペアリング要求パケットに含まれている体外端末ＩＤとが一致するか否かを判定する。メモリ１５に記録した体外端末ＩＤと第２ペアリング要求パケットに含まれている体外端末ＩＤとが一致すると判定部１２２が判定した場合にはステップＳ１０８の処理に進み、それ以外の場合にはステップＳ１０７の処理に進む。なお、ステップＳ１０６の処理を判定ステップとする。
【００３６】
（ステップＳ１０７）記憶制御部１４は、ステップＳ１０３の処理でメモリ１５に記録した体外端末ＩＤを削除する。その後、ステップＳ１０２の処理に戻る。なお、ステップＳ１０７の処理をペアリング失敗ステップとする。
（ステップＳ１０８）登録部１２３は、ステップＳ１０６の処理で一致すると判定した体外端末ＩＤをペアリング相手として無線通信部１３に登録する。その後、ステップＳ１０９の処理に進む。なお、ステップＳ１０８の処理を体外端末ＩＤ登録ステップとする。
【００３７】
（ステップＳ１０９）応答部１２４は、第２ペアリング応答パケットを無線通信部１３に対して出力する。無線通信部１３は、応答部１２４から入力された第２ペアリング応答パケットを、アンテナ１６を介してデータ収集端末２０に対して送信する。その後、ステップＳ１１０の処理に進む。なお、ステップＳ１０９の処理を第２ペアリング応答送信ステップとする。
（ステップＳ１１０）上位層通信部１２１は、センサ部１１から入力された収集データを無線通信部１３に対して出力する。無線通信部１３は、上位層通信部１２１から入力された収集データを、ステップＳ１０８の処理で登録された体外端末ＩＤで一意に特定されるデータ収集端末２０に対して送信する。収集データの送信が完了した後、処理を終了する。なお、ステップＳ１１０の処理を上位層データ通信ステップとする。
【００３８】
次に、データ収集端末２０の動作手順について説明する。
（ステップＳ２０１）要求部２２１は、第１ペアリング要求パケットを生成し、無線通信部２１に対して出力する。無線通信部２１は、要求部２２１から入力された第１ペアリング要求パケットを、アンテナ２７を介して無線センシング端末１０に対して送信する。その後、ステップＳ２０２の処理に進む。なお、ステップＳ２０１の処理を第１ペアリング要求送信ステップとする。
【００３９】
（ステップＳ２０２）タイムアウト判定部２２２は、ステップＳ２０１の処理で無線通信部２１が第１ペアリング要求パケットを送信したときにタイマ２６に時間計測を開始させる。その後、ステップＳ２０３の処理に進む。なお、ステップＳ２０２の処理を第１タイマ開始ステップとする。
【００４０】
（ステップＳ２０３）タイムアウト判定部２２２は、ステップＳ２０２の処理でタイマ２６が時間計測を開始してから予め設定している時間が経過するまでに、無線通信部２１が第１ペアリング応答パケットを受信したか否かを判定する。ステップＳ２０２の処理でタイマ２６が時間計測を開始してから予め設定している時間が経過するまでに、無線通信部２１が第１ペアリング応答パケットを受信したとタイムアウト判定部２２２が判定した場合にはステップＳ２０４の処理に進み、それ以外の場合にはステップＳ２０７の処理に進む。なお、ステップＳ２０３の処理を第１タイムアウト判定ステップとする。
【００４１】
（ステップＳ２０４）要求部２２１は、第２ペアリング要求パケットを生成し、無線通信部２１に対して出力する。無線通信部２１は、要求部２２１から入力された第２ペアリング要求パケットを、アンテナ２７を介して無線センシング端末１０に対して送信する。その後、ステップＳ２０５の処理に進む。なお、ステップＳ２０４の処理を第２ペアリング要求送信ステップとする。
【００４２】
（ステップＳ２０５）タイムアウト判定部２２２は、ステップＳ２０４の処理で無線通信部２１が第２ペアリング要求パケットを送信したときにタイマ２６に時間計測を開始させる。その後、ステップＳ２０６の処理に進む。なお、ステップＳ２０５の処理を第２タイマ開始ステップとする。
【００４３】
（ステップＳ２０６）タイムアウト判定部２２２は、ステップＳ２０５の処理でタイマ２６が時間計測を開始してから予め設定している時間が経過するまでに、無線通信部２１が第２ペアリング応答パケットを受信したか否かを判定する。ステップＳ２０５の処理でタイマ２６が時間計測を開始してから予め設定している時間が経過するまでに、無線通信部２１が第２ペアリング応答パケットを受信したとタイムアウト判定部２２２が判定した場合にはステップＳ２０８の処理に進み、それ以外の場合にはステップＳ２０７の処理に進む。なお、ステップＳ２０６の処理を第２タイムアウト判定ステップとする。
【００４４】
（ステップＳ２０７）記憶制御部１４は、ステップＳ２０２またはステップＳ２０６の処理で開始したタイマ２６の時間計測をクリアし、ステップＳ２０１の処理に戻る。なお、ステップＳ２０７の処理をペアリング失敗ステップとする。
【００４５】
（ステップＳ２０８）登録部２２３は、ステップＳ１０６の処理で受信した第２ペアリング要求パケットに含まれている体内端末ＩＤ（例えば、ＭＡＣアドレス）を、ペアリング相手を一意に特定する情報として無線通信部２１に登録する。その後、ステップＳ２０９の処理に進む。なお、ステップＳ２０８の処理を体内端末ＩＤ登録ステップとする。
（ステップＳ２０９）無線通信部２１は、無線センシング端末１０から送信された収集データを、アンテナ２７を介して受信し、上位層通信部２２４に対して出力する。上位層通信部２２４は、無線通信部２１から入力された収集データをデータ処理部２３に対して出力する。収集データの受信が完了した後、処理を終了する。なお、ステップＳ２０９の処理を上位層データ通信ステップとする。
【００４６】
上述したとおり、無線センシング端末１０の記憶部１７と、データ収集端末２０の記憶部２８とは、無線センシング端末１０とデータ収集端末２０とがペアリングを行う手順を示す情報を予め記憶している。本実施形態では、無線センシング端末１０とデータ収集端末２０とがペアリングを行う手順としては、第１ペアリング要求パケットと第１ペアリング応答パケットとのやり取りで第１ペアリングを行い、第２ペアリング要求パケットと第２ペアリング応答パケットとのやり取りで第２ペアリングを行い、第１ペアリング要求パケットに含まれる体外端末ＩＤと、第２ペアリング要求パケットに含まれる体外ＩＤとが一致している場合にのみ、ペアリングを許可する。
【００４７】
従って、無線センシング端末１０の記憶部１７が予め記憶しているペアリングを行う手順を示す情報と同一の情報を記憶していないデータ収集端末２０は、ペアリングを行う手順を知らないため、無線センシング端末１０と通信を行うことができない。同様に、データ収集端末２０の記憶部２８が予め記憶しているペアリングを行う手順を示す情報と同一の情報を記憶していない無線センシング端末１０は、ペアリングを行う手順を知らないためデータ収集端末２０と通信を行うことができない。これにより、電池消耗を増加させるハード構成の変更無しに、成りすまし接続の危険性を低減させることができる。
【００４８】
なお、上述した実施形態では、ペアリングを行う手順として、第１ペアリング要求パケットと第１ペアリング応答パケットとのやり取りで第１ペアリングを行い、第２ペアリング要求パケットと第２ペアリング応答パケットとのやり取りで第２ペアリングを行い、第１ペアリング要求パケットに含まれる体外端末ＩＤと、第２ペアリング要求パケットに含まれる体外ＩＤとが一致している場合にのみ、ペアリングを許可するとしたが、これに限らない。例えば、さらに第３ペアリング要求パケットと第３ペアリング応答パケットとのやり取りで第３ペアリングを行い、第１ペアリング要求パケットに含まれる体外端末ＩＤと、第２ペアリング要求パケットに含まれる体外ＩＤと、第２ペアリング要求パケットに含まれる体外ＩＤとが全て一致している場合にのみ、ペアリングを許可するようにしてもよい。さらに４回以上ペアリング要求パケットとペアリング応答パケットのやり取りを行うようにしてもよい。なお、全ての体外ＩＤが一致している場合のみではなく、体外ＩＤの一部が一致している場合に、ペアリングを許可するようにしてもよい。
【００４９】
また、上述した実施形態では、第１ペアリング要求パケットと第２ペアリング要求パケットは、それぞれ体外端末ＩＤを含んでいるが、これに限らない。例えば、第２ペアリング要求パケットは、体外端末ＩＤ以外の予め決められた情報を含むようにし、予め決められた情報が第２ペアリング要求パケットに含まれている場合に、ペアリングを許可するようにしてもよい。また、例えば、第２ペアリング要求パケットは、体外端末ＩＤに予め決められた変換式（例えば、体外端末ＩＤ＋α）を適用した結果を含むようにしてもよく、体内端末ＩＤを含むようにしてもよく、体外端末ＩＤと体内端末ＩＤとに予め決められた変換式（例えば、体外端末ＩＤ＋体内端末ＩＤ）を適用した結果を含むようにしてもよい。
【００５０】
（第２の実施形態）
次に、本発明の第２の実施形態について図を参照しながら説明する。本実施形態における生体監視システムは、第１の実施形態と同様に、無線センシング端末とデータ収集端末とを備える。本実施形態と第１の実施形態とで異なる点は、無線センシング端末が備える通信制御部の構成と、データ収集端末が備える通信制御部の構成である。
【００５１】
次に、無線センシング端末の構成について説明する。図５は、本実施形態における無線センシング端末３０の構成を示したブロック図である。図示する例では、無線センシング端末３０は、センサ部１１と、通信制御部３２と、無線通信部１３と、記憶制御部１４と、メモリ１５と、アンテナ１６と、記憶部１７とを備える。なお、無線センシング端末３０は、図示せぬ電池を備えている。電池は、無線センシング端末３０が備える各部に電力を供給している。
【００５２】
センサ部１１と、無線通信部１３と、記憶制御部１４と、メモリ１５と、アンテナ１６と、記憶部１７とは、第１の実施形態における各部と同様である。通信制御部３２は、上位層通信部１２１と、判定部１２２と、登録部１２３と、応答部１２４と、チャネル設定部３２１とを備え、無線通信部１３の制御を行う。上位層通信部１２１と、判定部１２２と、登録部１２３と、応答部１２４とは、第１の実施形態における各部と同様である。
【００５３】
チャネル設定部３２１は、起動後、例えば若番チャネルから順にチャネルを変更しながら、無線通信部１３のチャネルを第１ペアリング要求パケットが送信される第１チャネル（ＣＨ＿Ａ）に切り替える。また、チャネル設定部３２１は、無線通信部１３が第１ペアリング応答パケットを送信した後は、無線通信部１３のチャネルを第２チャネルペアリング要求パケットが送信される第２チャネル（ＣＨ＿Ｂ）に切り替える。
【００５４】
次に、データ収集端末４０の構成について説明する。図６は、本実施形態におけるデータ収集端末４０の構成を示したブロック図である。図示する例では、データ収集端末４０は、無線通信部２１と、通信制御部４２と、データ処理部２３と、保存部２４と、表示部２５と、タイマ２６と、アンテナ２７と、記憶部２８とを備える。なお、データ収集端末４０は、図示せぬ電池を備えている。電池は、データ収集端末４０が備える各部に電力を供給している。
【００５５】
データ収集端末４０が備える無線通信部２１と、データ処理部２３と、保存部２４と、表示部２５と、タイマ２６と、アンテナ２７と、記憶部２８とは、第１の実施形態における各部と同様である。通信制御部４２は、要求部２２１と、タイムアウト判定部２２２と、登録部２２３と、上位層通信部２２４と、チャネル決定部４２１と、チャネル設定部４２２とを備える。要求部２２１と、タイムアウト判定部２２２と、登録部２２３と、上位層通信部２２４とは、第１の実施形態における各部と同様である。
【００５６】
チャネル決定部４２１は、全てのチャネルから、第１ペアリング要求パケットの送信に用いる第１チャネルと、第２ペアリング要求パケットの送信に用いる第２チャネルとを決定し、決定したチャネルを示すチャネル情報をチャネル設定部４２２に対して出力する。なお、チャネル決定部４２１がチャネルを決定する方法としては、例えばキャリアセンスにより干渉受信レベルの低いチャネルから順に２つ選んでも良いし、閾値を予め設定しておいて、閾値以下の干渉受信レベルのチャネルから任意に２つ選んでも良い。
【００５７】
チャネル設定部４２２は、起動後、無線通信部２１の通信チャネルを第１チャネルに設定する。また、チャネル設定部３２２は、判定部１２２からチャネル変更指示が入力された場合、無線通信部２１の通信チャネルを第２チャネルに切り替える。要求部２２１は、無線通信部２１の通信チャネルが第１チャネルに設定された後、第１ペアリング要求パケットを生成して無線通信部２１に対して出力する。また、要求部２２１は、無線通信部２１の通信チャネルが第２チャネルに設定された後、第２ペアリング要求パケットを生成して無線通信部２１に対して出力する。
【００５８】
次に、無線センシング端末３０とデータ収集端末４０との動作手順について説明する。図７は、本実施形態における無線センシング端末３０とデータ収集端末４０との動作手順を示したフローチャートである。
始めに、無線センシング端末３０の動作手順について説明する。
ステップＳ３０１〜ステップＳ３０２の処理は、第１の実施形態におけるステップＳ１０１〜ステップＳ１０２の処理と同様である。
【００５９】
（ステップＳ３０３）記憶制御部１４は、ステップＳ３０２の処理で無線通信部１３が受信した第１ペアリング要求パケットに含まれる体外端末ＩＤと第２チャネル情報とをメモリ１５に記録する。その後、ステップＳ３０４の処理に進む。なお、ステップＳ３０３の処理を体外端末ＩＤ記録ステップとする。
【００６０】
（ステップＳ３０４）応答部１２４は、第１ペアリング応答パケットを無線通信部１３に対して出力する。無線通信部１３は、応答部１２４から入力された第１ペアリング応答パケットを、アンテナ１６を介してデータ収集端末４０に対して送信する。その後、ステップＳ３０５の処理に進む。なお、ステップＳ３０４の処理を第１ペアリング応答送信ステップとする。
【００６１】
（ステップＳ３０５）チャネル設定部３２１は、ステップＳ３０３の処理でメモリ１５が記憶した第２チャネル情報を読み出し、無線通信部２１の通信チャネル設定を第２チャネルに切り替える。その後、ステップＳ３０６の処理に進む。なお、ステップＳ３０５の処理をチャネル切替ステップとする。
（ステップＳ３０６）無線通信部１３は、データ収集端末４０から送信される第２ペアリング要求パケットを、ステップＳ３０５の処理で設定された第２チャネルで、アンテナ１６を介して受信する。その後、ステップＳ３０７の処理に進む。なお、ステップＳ３０６の処理を第２ペアリング要求受信ステップとする。
【００６２】
（ステップＳ３０７）判定部１２２は、ステップＳ３０３の処理でメモリ１５に記録した体外端末ＩＤ（第１ペアリング要求パケットに含まれていた体外端末ＩＤ）と、ステップＳ３０６の処理で受信した第２ペアリング要求パケットに含まれている体外端末ＩＤとが一致するか否かを判定する。メモリ１５に記録した体外端末ＩＤと第２ペアリング要求パケットに含まれている体外端末ＩＤとが一致すると判定部１２２が判定した場合にはステップＳ３０９の処理に進み、それ以外の場合にはステップＳ３０８の処理に進む。なお、ステップＳ３０７の処理を判定ステップとする。
【００６３】
（ステップＳ３０８）記憶制御部１４は、ステップＳ３０３の処理でメモリ１５に記録した体外端末ＩＤを削除する。その後、ステップＳ３０２の処理に戻る。なお、ステップＳ３０８の処理をペアリング失敗ステップとする。
（ステップＳ３０９）登録部１２３は、ステップＳ３０７の処理で一致すると判定した体外端末ＩＤをペアリング相手として無線通信部１３に登録する。その後、ステップＳ３１０の処理に進む。なお、ステップＳ３０９の処理を体外端末ＩＤ登録ステップとする。
【００６４】
（ステップＳ３１０）応答部１２４は、第２ペアリング応答パケットを無線通信部１３に対して出力する。無線通信部１３は、応答部１２４から入力された第２ペアリング応答パケットを、ステップＳ３０５の処理で設定された第２チャネルで、アンテナ１６を介してデータ収集端末４０に対して送信する。その後、ステップＳ３１１の処理に進む。なお、ステップＳ３１０の処理を第２ペアリング応答送信ステップとする。
【００６５】
（ステップＳ３１１）上位層通信部１２１は、センサ部１１から入力された収集データを無線通信部１３に対して出力する。無線通信部１３は、上位層通信部１２１から入力された収集データを、ステップＳ３０５の処理で設定された第２チャネルで、ステップＳ３０９の処理で登録された体外端末ＩＤで一意に特定されるデータ収集端末４０に対して送信する。収集データの送信が完了した後、処理を終了する。なお、ステップＳ３１１の処理を上位層データ通信ステップとする。
【００６６】
次に、データ収集端末４０の動作手順について説明する。
（ステップＳ４０１）チャネル決定部４２１は、全てのチャネルから、第１ペアリング要求パケットの送信に用いる第１チャネルと、第２ペアリング要求パケットの送信に用いる第２チャネルとを決定し、決定したチャネルを示すチャネル情報をチャネル設定部４２２に対して出力する。その後、ステップＳ４０２の処理に進む。なお、ステップＳ４０１の処理をチャネル決定ステップとする。
【００６７】
（ステップＳ４０２）チャネル設定部４２２は、ステップＳ４０１の処理で入力されたチャネル情報に基づいて、無線通信部２１の通信チャネルを第１チャネルに設定する。その後、ステップＳ４０３の処理に進む。なお、ステップＳ４０２の処理をチャネル設定ステップとする。
【００６８】
（ステップＳ４０３）要求部２２１は、第１ペアリング要求パケットを生成し、無線通信部２１に対して出力する。無線通信部２１は、要求部２２１から入力された第１ペアリング要求パケットを、ステップＳ４０２の処理で設定された第１チャネルで、アンテナ２７を介して無線センシング端末３０に対して送信する。その後、ステップＳ４０４の処理に進む。なお、ステップＳ４０３の処理を第１ペアリング要求送信ステップとする。
【００６９】
（ステップＳ４０４）タイムアウト判定部２２２は、ステップＳ４０３の処理で無線通信部２１が第１ペアリング要求パケットを送信したときにタイマ２６に時間計測を開始させる。その後、ステップＳ４０５の処理に進む。なお、ステップＳ４０４の処理を第１タイマ開始ステップとする。
【００７０】
（ステップＳ４０５）タイムアウト判定部２２２は、ステップＳ４０４の処理でタイマ２６が時間計測を開始してから予め設定している時間が経過するまでに、無線通信部２１が第１ペアリング応答パケットを受信したか否かを判定する。ステップＳ４０４の処理でタイマ２６が時間計測を開始してから予め設定している時間が経過するまでに、無線通信部２１が第１ペアリング応答パケットを受信したとタイムアウト判定部２２２が判定した場合にはステップＳ４０６の処理に進み、それ以外の場合にはステップＳ４１０の処理に進む。なお、ステップＳ４０５の処理を第１タイムアウト判定ステップとする。
【００７１】
（ステップＳ４０６）チャネル設定部４２２は、ステップＳ４０１の処理で入力されたチャネル情報に基づいて、無線通信部２１の通信チャネルを第２チャネルに設定する。その後、ステップＳ４０７の処理に進む。なお、ステップＳ４０６の処理をチャネル切替ステップとする。
【００７２】
（ステップＳ４０７）要求部２２１は、第２ペアリング要求パケットを生成し、無線通信部２１に対して出力する。無線通信部２１は、要求部２２１から入力された第２ペアリング要求パケットを、ステップＳ４０６の処理で設定された第２チャネルで、アンテナ２７を介して無線センシング端末３０に対して送信する。その後、ステップＳ４０８の処理に進む。なお、ステップＳ４０７の処理を第２ペアリング要求送信ステップとする。
【００７３】
（ステップＳ４０８）タイムアウト判定部２２２は、ステップＳ４０７の処理で無線通信部２１が第２ペアリング要求パケットを送信したときにタイマ２６に時間計測を開始させる。その後、ステップＳ４０９の処理に進む。なお、ステップＳ４０８の処理を第２タイマ開始ステップとする。
【００７４】
（ステップＳ４０９）タイムアウト判定部２２２は、ステップＳ４０８の処理でタイマ２６が時間計測を開始してから予め設定している時間が経過するまでに、無線通信部２１が第２ペアリング応答パケットを受信したか否かを判定する。ステップＳ４０８の処理でタイマ２６が時間計測を開始してから予め設定している時間が経過するまでに、無線通信部２１が第２ペアリング応答パケットを受信したとタイムアウト判定部２２２が判定した場合にはステップＳ４１１の処理に進み、それ以外の場合にはステップＳ４１０の処理に進む。なお、ステップＳ４０９の処理を第２タイムアウト判定ステップとする。
【００７５】
（ステップＳ４１０）記憶制御部１４は、ステップＳ４０４またはステップＳ４０８の処理で開始したタイマ２６の時間計測をクリアし、ステップＳ４０１の処理に戻る。なお、ステップＳ４１０の処理をペアリング失敗ステップとする。
【００７６】
（ステップＳ４１１）登録部２２３は、ステップＳ４０９の処理で受信した第２ペアリング要求パケットに含まれている体内端末ＩＤ（例えば、ＭＡＣアドレス）を、ペアリング相手を一意に特定する情報として無線通信部２１に登録する。その後、ステップＳ４１２の処理に進む。なお、ステップＳ４１１の処理を体内端末ＩＤ登録ステップとする。
（ステップＳ４１２）無線通信部２１は、無線センシング端末３０から送信された収集データを、ステップＳ４０６の処理で設定された第２チャネルで、アンテナ２７を介して受信し、上位層通信部２２４に対して出力する。上位層通信部２２４は、無線通信部２１から入力された収集データをデータ処理部２３に対して出力する。収集データの受信が完了した後、処理を終了する。なお、ステップＳ４１２の処理を上位層データ通信ステップとする。
【００７７】
上述したとおり、無線センシング端末３０の記憶部１７と、データ収集端末４０の記憶部２８とは、無線センシング端末３０とデータ収集端末４０とがペアリングを行う手順を示す情報を予め記憶している。本実施形態では、無線センシング端末３０とデータ収集端末４０とがペアリングを行う手順としては、第１チャネルで第１ペアリングを行い、第２チャネルで第２ペアリングを行い、第１ペアリング要求パケットに含まれる体外端末ＩＤと、第２ペアリング要求パケットに含まれる体外ＩＤとが一致している場合にのみ、ペアリングを許可する。
【００７８】
従って、無線センシング端末３０の記憶部１７が予め記憶しているペアリングを行う手順を示す情報と同一の情報を記憶していないデータ収集端末４０は、ペアリングを行う手順を知らないため、無線センシング端末３０と通信を行うことができない。同様に、データ収集端末４０の記憶部２８が予め記憶しているペアリングを行う手順を示す情報と同一の情報を記憶していない無線センシング端末３０は、ペアリングを行う手順を知らないためデータ収集端末４０と通信を行うことができない。これにより、電池消耗を増加させるハード構成の変更無しに、成りすまし接続の危険性を低減させることができる。
【００７９】
また、本実施形態では、第１ペアリングと第２ペアリングとを異なるチャネルで行っている。従って、第三者がなりすますためのデータ解析に手間がかかるため、成りすまし接続の危険性をさらに低減させることができる。
【００８０】
（第３の実施形態）
次に、本発明の第３の実施形態について図を参照しながら説明する。本実施形態における生体監視システムは、第２の実施形態と同様に、無線センシング端末とデータ収集端末とを備える。本実施形態と第２の実施形態とで異なる点は、本実施形態の無線センシング端末は、タイマを備えている点である。
【００８１】
次に、無線センシング端末の構成について説明する。図８は、本実施形態における無線センシング端末５０の構成を示したブロック図である。図示する例では、無線センシング端末５０は、センサ部１１と、通信制御部３２と、無線通信部１３と、記憶制御部１４と、メモリ１５と、アンテナ１６と、記憶部１７と、タイマ５１とを備える。なお、無線センシング端末５０は、図示せぬ電池を備えている。電池は、無線センシング端末５０が備える各部に電力を供給している。
【００８２】
センサ部１１と、通信制御部３２と、無線通信部１３と、記憶制御部１４と、メモリ１５と、アンテナ１６と、記憶部１７とは、第２の実施形態における各部と同様である。タイマ５１は、時間を計測する。具体的には、タイマ５１は、メモリ１５を監視し、メモリ１５に第１ペアリング情報が書き込まれたら時刻の計測を開始（タイマを開始）する。判定部１２２は、体外端末ＩＤが一致するか否かの判定に加えて、無線通信部１３が第２ペアリング要求パケットを受信した際にタイマ５１の経過時間（計測時間）を確認し、その経過時間が規定の時間以内であるか否かを判定し、規定の時間以上であった場合にはペアリング失敗と判定する。
【００８３】
次に、データ収集端末４０の構成について説明する。本実施形態におけるデータ収集端末４０は、第２の実施形態におけるデータ収集端末４０と同様である。
【００８４】
次に、無線センシング端末５０とデータ収集端末４０との動作手順について説明する。図９は、本実施形態における無線センシング端末５０とデータ収集端末４０との動作手順を示したフローチャートである。
始めに、無線センシング端末５０の動作手順について説明する。
ステップＳ５０１〜ステップＳ５０４の処理は、第２の実施形態におけるステップＳ３０１〜ステップＳ３０４の処理と同様である。
【００８５】
（ステップＳ５０５）タイマ５１は、ステップＳ５０３の処理でメモリ１５が体外端末ＩＤを記憶したときに時間計測を開始する。その後、ステップＳ５０６の処理に進む。なお、ステップＳ５０５の処理をタイマ開始ステップとする。
ステップＳ５０６〜ステップＳ５０８の処理は、第２の実施形態におけるステップＳ３０５〜ステップＳ３０７の処理と同様である。
【００８６】
（ステップＳ５０９）判定部１２２は、ステップＳ５０５の処理でタイマ５１が時間計測を開始してから予め設定している時間が経過するまでに、無線通信部１３が第２ペアリング要求パケットを受信したか否かを判定する。ステップＳ５０５の処理でタイマ５１が時間計測を開始してから予め設定している時間が経過するまでに、無線通信部１３が第２ペアリング要求パケットを受信したと判定部１２２が判定した場合にはステップＳ５１１の処理に進み、それ以外の場合にはステップＳ５１０の処理に進む。なお、ステップＳ５０９の処理をタイムアウト判定ステップとする。
ステップＳ５１０〜ステップＳ５１３の処理は、第２の実施形態におけるステップＳ３０９〜ステップＳ３１１の処理と同様である。
【００８７】
次に、データ収集端末４０の動作手順について説明する。本実施形態におけるデータ収集端末４０の動作手順は第２の実施形態におけるデータ収集端末４０の動作手順と同様である。
【００８８】
上述したとおり、本実施形態では、無線センシング端末５０は、第１ペアリング応答パケットを送信してから所定の時間内に第２ペアリング要求パケットを受信できない場合、ペアリングを許可しない。従って、第三者がなりすますためのデータ解析に時間が掛かり、所定の時間内に第２ペアリング要求パケットを送信することができない場合にはペアリングを許可しないため、成りすまし接続の危険性をさらに低減させることができる。
【００８９】
（第４の実施形態）
次に、本発明の第４の実施形態について図を参照しながら説明する。本実施形態における生体監視システムは、第２の実施形態と同様に、無線センシング端末とデータ収集端末とを備える。本実施形態と第２の実施形態とで異なる点は、本実施形態の無線センシング端末は、候補記憶部を備えている点である。
【００９０】
次に、無線センシング端末の構成について説明する。図１０は、本実施形態における無線センシング端末７０の構成を示したブロック図である。図示する例では、無線センシング端末７０は、センサ部１１と、通信制御部３２と、無線通信部１３と、記憶制御部１４と、メモリ１５と、アンテナ１６と、記憶部１７と、候補記憶部７１とを備える。なお、無線センシング端末７０は、図示せぬ電池を備えている。電池は、無線センシング端末７０が備える各部に電力を供給している。
【００９１】
センサ部１１と、通信制御部３２と、無線通信部１３と、記憶制御部１４と、メモリ１５と、アンテナ１６と、記憶部１７とは、第２の実施形態における各部と同様である。候補記憶部７１は、１つ以上のペアリング可能な体外端末の体外端末ＩＤの一覧を予め記憶する。判定部１２２は、候補記憶部７１が記憶しているペアリング可能な体外端末の体外端末ＩＤの一覧に、第１のペアリング情報に含まれるデータ収集端末４０の体外端末ＩＤが含まれているか否かを判定し、含まれていない場合にはペアリング失敗と判定する。
【００９２】
次に、データ収集端末４０の構成について説明する。本実施形態におけるデータ収集端末４０は、第２の実施形態におけるデータ収集端末４０と同様である。
【００９３】
次に、無線センシング端末７０とデータ収集端末４０との動作手順について説明する。図１１は、本実施形態における無線センシング端末７０とデータ収集端末４０との動作手順を示したフローチャートである。
始めに、無線センシング端末７０の動作手順について説明する。
ステップＳ７０１〜ステップＳ７０２の処理は、第２の実施形態におけるステップＳ３０１〜ステップＳ３０２の処理と同様である。
【００９４】
（ステップＳ７０３）判定部１２２は、候補記憶部７１が予め記憶しているペアリング可能な体外端末の体外端末ＩＤの一覧に、ステップＳ７０２の処理で受信した第１ペアリング要求パケットに含まれている体外端末ＩＤが含まれているか否かを判定する。候補記憶部７１が予め記憶しているペアリング可能な体外端末の体外端末ＩＤの一覧に、ステップＳ７０２の処理で受信した第１ペアリング要求パケットに含まれていると判定部１２２が判定した場合にはステップＳ７０４の処理に進み、それ以外の場合にはステップＳ７１０の処理に進む。なお、ステップＳ７０３の処理を体外端末ＩＤ照合ステップとする。
ステップＳ７０４〜ステップＳ７１２の処理は、第２の実施形態におけるステップＳ３０３〜ステップＳ３１１の処理と同様である。
【００９５】
次に、データ収集端末４０の動作手順について説明する。本実施形態におけるデータ収集端末４０の動作手順は第２の実施形態におけるデータ収集端末４０の動作手順と同様である。
【００９６】
上述したとおり、本実施形態では、無線センシング端末７０は、受信した第１ペアリング要求パケットに含まれている体外端末ＩＤが、予め記憶している体外端末ＩＤの一覧に含まれていない場合、ペアリングを許可しない。従って、成りすまし接続の危険性をさらに低減させることができる。
【００９７】
（第５の実施形態）
次に、本発明の第５の実施形態について図を参照しながら説明する。本実施形態における生体監視システムは、第２の実施形態と同様に、無線センシング端末とデータ収集端末とを備える。本実施形態と第２の実施形態とで異なる点は、本実施形態の無線センシング端末とデータ収集端末とは、共通情報記憶部をそれぞれ備えている点である。
【００９８】
次に、無線センシング端末の構成について説明する。図１２は、本実施形態における無線センシング端末９０の構成を示したブロック図である。図示する例では、無線センシング端末９０は、センサ部１１と、通信制御部３２と、無線通信部１３と、記憶制御部１４と、メモリ１５と、アンテナ１６と、記憶部１７と、共通情報記憶部９１とを備える。なお、無線センシング端末９０は、図示せぬ電池を備えている。電池は、無線センシング端末９０が備える各部に電力を供給している。
【００９９】
センサ部１１と、通信制御部３２と、無線通信部１３と、記憶制御部１４と、メモリ１５と、アンテナ１６と、記憶部１７とは、第２の実施形態における各部と同様である。共通情報記憶部９１は、予め定められている第１の共通情報と、予め定められている第２の共通情報とを記憶する。なお、第１の共通情報と第２の共通情報とは、どのような情報でもよい。例えば、第１の共通情報と第２の共通情報とは、任意のビット列でもよいし、ビーコン送信間隔などの無線通信のパラメータの一部でもよい。判定部１２２は、第１のペアリング情報に第１の共通情報が含まれているか否かを判定し、第２のペアリング情報に第２の共通情報が含まれているか否かを判定し、いずれか一方でも含まれていない場合にはペアリング失敗と判定する。
【０１００】
次に、データ収集端末１００の構成について説明する。図１３は、本実施形態におけるデータ収集端末１００の構成を示したブロック図である。図示する例では、データ収集端末１００は、無線通信部２１と、通信制御部４２と、データ処理部２３と、保存部２４と、表示部２５と、アンテナ２７と、記憶部２８と、共通情報記憶部１０１とを備える。なお、データ収集端末１００は、図示せぬ電池を備えている。電池は、データ収集端末１００が備える各部に電力を供給している。
【０１０１】
データ収集端末１００が備える無線通信部２１と、通信制御部４２と、データ処理部２３と、保存部２４と、表示部２５と、アンテナ２７と、記憶部２８とは、第２の実施形態における各部と同様である。共通情報記憶部１０１は、無線センシング端末９０の共通情報記憶部９１が記憶している情報と同一の情報である第１の共通情報と第２の共通情報とを予め記憶する。要求部２２１は、生成する第１ペアリング要求パケットに第１の共通情報を含める。また、要求部２２１は、生成する第２ペアリング要求パケットに第２の共通情報を含める。
【０１０２】
次に、無線センシング端末９０とデータ収集端末１００との動作手順について説明する。図１４は、本実施形態における無線センシング端末９０とデータ収集端末１００との動作手順を示したフローチャートである。
始めに、無線センシング端末９０の動作手順について説明する。
ステップＳ９０１〜ステップＳ９０２の処理は、第２の実施形態におけるステップＳ３０１〜ステップＳ３０２の処理と同様である。
【０１０３】
（ステップＳ９０３）判定部１２２は、共通情報記憶部９１が予め記憶している第１の共通情報と、ステップＳ９０２の処理で受信した第１ペアリング要求パケットに含まれている第１の共通情報とが一致しているか否かを判定する。共通情報記憶部９１が予め記憶している第１の共通情報と、ステップＳ９０２の処理で受信した第１ペアリング要求パケットに含まれている第１の共通情報とが一致していると判定部１２２が判定した場合にはステップＳ９０４の処理に進み、それ以外の場合にはステップＳ９１０の処理に進む。なお、ステップＳ９０３の処理を第１の共通情報照会ステップとする。
ステップＳ９０４〜ステップＳ９０８の処理は、第２の実施形態におけるステップＳ３０３〜ステップＳ３０７の処理と同様である。
【０１０４】
（ステップＳ９０９）判定部１２２は、共通情報記憶部９１が予め記憶している第２の共通情報と、ステップＳ９０７の処理で受信した第２ペアリング要求パケットに含まれている第２の共通情報とが一致しているか否かを判定する。共通情報記憶部９１が予め記憶している第２の共通情報と、ステップＳ９０７の処理で受信した第２ペアリング要求パケットに含まれている第２の共通情報とが一致していると判定部１２２が判定した場合にはステップＳ９１１の処理に進み、それ以外の場合にはステップＳ９１０の処理に進む。なお、ステップＳ９０９の処理を第２の共通情報照会ステップとする。
ステップＳ９１０〜ステップＳ９１３の処理は、第２の実施形態におけるステップＳ３０８〜ステップＳ３１１の処理と同様である。
【０１０５】
次に、データ収集端末１００の動作手順について説明する。
ステップＳ１００１〜ステップＳ１００２の処理は、第２の実施形態におけるステップＳ４０１〜ステップＳ４０２の処理と同様である。
（ステップＳ１００３）要求部２２１は、共通情報記憶部１０１が記憶している第１の共通情報と第２の共通情報とを取得する。その後、ステップＳ１００４の処理に進む。なお、ステップＳ１００３の処理を共通情報取得ステップとする。
【０１０６】
（ステップＳ１００４）要求部２２１は、ステップＳ１００３の処理で取得した第１の共通情報を含んだ第１ペアリング要求パケットを生成し、無線通信部２１に対して出力する。無線通信部２１は、要求部２２１から入力された第１ペアリング要求パケットを、ステップＳ１００２の処理で設定された第１チャネルで、アンテナ２７を介して無線センシング端末９０に対して送信する。その後、ステップＳ１００５の処理に進む。なお、ステップＳ１００４の処理を第１ペアリング要求送信ステップとする。
ステップＳ１００５〜ステップＳ１００７の処理は、第２の実施形態におけるステップＳ４０４〜ステップＳ４０６の処理と同様である。
【０１０７】
（ステップＳ１００８）要求部２２１は、ステップＳ１００３の処理で取得した第２の共通情報を含んだ第２ペアリング要求パケットを生成し、無線通信部２１に対して出力する。無線通信部２１は、要求部２２１から入力された第２ペアリング要求パケットを、ステップＳ１００７の処理で設定された第２チャネルで、アンテナ２７を介して無線センシング端末９０に対して送信する。その後、ステップＳ１００９の処理に進む。なお、ステップＳ１００８の処理を第２ペアリング要求送信ステップとする。
ステップＳ１００９〜ステップＳ１０１３の処理は、第２の実施形態におけるステップＳ４０８〜ステップＳ４１２の処理と同様である。
【０１０８】
上述したとおり、本実施形態では、無線センシング端末９０の共通情報記憶部９１と、データ収集端末１００の共通情報記憶部１０１とは、第１の共通情報と第２の共通情報とを記憶している。また、データ収集端末１００は、第１の共通情報を含んだ第１ペアリング要求パケットを無線センシング端末９０に対して送信する。そして、無線センシング端末９０は、受信した第１ペアリング要求パケットに含まれている第１の共通情報と、共通情報記憶部９１が予め記憶している第１の共通情報とが一致していない場合、ペアリングを許可しない。同様に、データ収集端末１００は、第２の共通情報を含んだ第２ペアリング要求パケッを無線センシング端末９０に対して送信する。そして、無線センシング端末９０は、受信した第２ペアリング要求パケットに含まれている第２の共通情報と、共通情報記憶部９１が予め記憶している第２の共通情報とが一致していない場合、ペアリングを許可しない。従って、成りすまし接続の危険性をさらに低減させることができる。
【０１０９】
以上、この発明の第１の実施形態〜第５の実施形態について図面を参照して詳述してきたが、具体的な構成はこの実施形態に限られるものではなく、この発明の要旨を逸脱しない範囲の設計等も含まれる。例えば、第１の実施形態〜第５の実施形態においては、無線センシング端末とデータ収集端末とが１対１で無線通信を行うものとして説明したが、１対Ｎ、Ｍ対１、Ｍ対Ｎのいずれの関係であっても本発明を適用することができる（ＮおよびＭは自然数）。
【０１１０】
なお、上述した第１の実施形態〜第５の実施形態における無線センシング端末とデータ収集端末とが備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１１１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【０１１２】
１・・・生体データ監視システム、１０、３０，５０、７０，９０・・・無線センシング端末、１１・・・センサ部、１２，２２，３２，４２・・・通信制御部、１３、２１・・・無線通信部、１４・・・記憶制御部、１５・・・メモリ、１６、２７・・・アンテナ、１７、２８・・・記憶部、２０，４０，１００・・・データ収集端末、２３・・・データ処理部、２４・・・保存部、２５・・・表示部、２６，５１・・・タイマ、２７  アンテナ、７１・・・候補記憶部、９１，１０１・・・共通情報記憶部、１２１，２２４・・・上位層通信部、１２２・・・判定部、１２３，２２３・・・登録部、１２４・・・応答部、２２１・・・要求部、２２２・・・タイムアウト判定部、３２１，４２１・・・チャネル設定部、３２２，４２２・・・チャネル設定部
【図１】
2014082716.tif 000003
【図２】
2014082716.tif 000004
【図３】
2014082716.tif 000005
【図４】
2014082716.tif 000006
【図５】
2014082716.tif 000007
【図６】
2014082716.tif 000008
【図７】
2014082716.tif 000009
【図８】
2014082716.tif 000010
【図９】
2014082716.tif 000011
【図１０】
2014082716.tif 000012
【図１１】
2014082716.tif 000013
【図１２】
2014082716.tif 000014
【図１３】
2014082716.tif 000015
【図１４】
2014082716.tif 000016